(57)【要約】【課題】フォーマの脱着交換作業を、多大な労力や時間を要することなく容易に行うことができる巻取機のフォーマの脱着装置を提供する。【解決手段】水平面内を移動可能な台車２２に、水平方向に延びる複数の軸線上に位置する複数の受渡し軸２９ａを設ける。その受渡し軸２９ａの先端には、巻取機１２のフォーマ軸１４の先端に連結可能な連結用ネジ部３２ｂを設ける。連結ネジ部３２ｂをフォーマ軸１４の先端に連結した状態で、フォーマ１６がフォーマ軸１４と受渡し軸２９ａとの間において移動できるように構成する。【選択図】図１
0003177119.tif 000002
【実用新案登録請求の範囲】
【請求項１】
水平面内を移動可能な移動体には、水平方向に延びる複数の軸線にそれぞれ沿って延長されるとともに、フォーマの軸孔を受承可能な複数の受渡し軸を設け、その支持軸の先端には巻取機のフォーマ軸の先端に連結可能な連結部を設け、前記連結部をフォーマ軸の先端に連結した状態でフォーマが前記フォーマ軸と受渡し軸との間において受渡し移動できるように構成したことを特徴とする巻取機のフォーマの脱着装置。
【請求項２】
前記受渡し軸内にネジ軸を回転可能及び軸線方向へ移動可能に支持するとともに、その先端のネジ部によって前記連結部を構成し、ネジ軸の基端にはネジ軸を回転させるための操作部を設けたことを特徴とする請求項１に記載の巻取機のフォーマの脱着装置。
【請求項３】
前記移動体を、床面上を移動可能で、その床面上を旋回可能な台車によって構成したことを特徴とする請求項１または２に記載の巻取機のフォーマの脱着装置。
【請求項４】
前記受渡し軸の上下位置を調節可能な調節部を設けたことを特徴とする請求項１〜３のうちのいずれか一項に記載の巻取機のフォーマの脱着装置。
【請求項５】
一対の前記受渡し軸を平行に、かつ反対向きに設けたことを特徴とする請求項１〜４のうちのいずれか一項に記載の巻取機のフォーマの脱着装置。
【考案の詳細な説明】
【技術分野】
【０００１】
この考案は、ビードリングを形成するための巻取機のフォーマを脱着交換する際に用いられるフォーマの脱着装置に関するものである。
【背景技術】
【０００２】
この種の巻取機において、例えばビードリングの巻き径を変更する場合には、特許文献１及び特許文献２に示されるように、ビードリングを巻き取るためのフォーマを拡縮したり、フォーマを径の異なるものと変更したりすることが行なわれる。
【先行技術文献】
【特許文献】
【０００３】
【特許文献１】特開平９−２６７４１０号公報
【特許文献２】特開平１０−８６２４１号公報
【考案の概要】
【考案が解決しようとする課題】
【０００４】
フォーマの径を拡縮する場合は、フォーマの構成が複雑になる。また、フォーマを交換する場合には、そのフォーマは大重量であるため、その脱着交換作業に労力と時間を要するという問題があった。
【０００５】
この考案は、このような従来の技術に存在する問題点に着目してなされたものである。その目的は、フォーマの脱着交換作業を、多大な労力や時間を要することなく容易に、かつ短時間で行うことができる巻取機のフォーマの脱着装置を提供することにある。
【課題を解決するための手段】
【０００６】
上記の目的を達成するために、この考案は、水平面内を移動可能な移動体には、水平方向に延びる複数の軸線にそれぞれ沿って延長されるとともに、フォーマの軸孔を受承可能な複数の受渡し軸を設け、その支持軸の先端には巻取機のフォーマ軸の先端に連結可能な連結部を設け、前記連結部をフォーマ軸の先端に連結した状態でフォーマが前記フォーマ軸と受渡し軸との間において受渡し移動できるように構成したことを特徴としている。
【０００７】
従って、この考案のフォーマの脱着装置において、巻取機のフォーマを脱着交換する場合には、移動体を水平面内で移動させて、受渡し軸を巻取機のフォーマ軸に対応させる。そして、受渡し軸の先端の連結部をフォーマ軸の先端に連結させるとともに、その連結状態でフォーマをフォーマ軸上から受渡し軸上に移動させれば、フォーマ軸からフォーマを取り外すことができる。その後、移動体の移動により、新規のフォーマが支持された別の受渡し軸を巻取機のフォーマ軸に対応させる。そして、連結部をフォーマ軸の先端に連結させるとともに、フォーマを受渡し軸上からフォーマ軸上に移動させれば、フォーマ軸に対して新規のフォーマを取り付けることができる。よって、フォーマの脱着交換作業を、多大な労力や時間を要することなく容易かつ短時間に行うことができる。
【０００８】
前記の構成において、前記受渡し軸内にネジ軸を回転可能及び軸線方向へ移動可能に支持するとともに、その先端のネジ部によって前記連結部を構成し、ネジ軸の基端にはネジ軸を回転させるための操作部を設けるとよい。
【０００９】
前記の構成において、前記移動体を、床面上を移動可能で、その床面上を旋回可能な台車によって構成するとよい。
前記の構成において、前記受渡し軸の上下位置を調節可能な調節部を設けるとよい。
【００１０】
前記の構成において、一対の前記受渡し軸を平行に、かつ反対向きに設けるとよい。
【考案の効果】
【００１１】
以上のように、この考案によれば、フォーマの脱着交換作業を、多大な労力や時間を要することなく容易に、かつ短時間で行うことができるという効果を発揮する。
【図面の簡単な説明】
【００１２】
【図１】一実施形態の巻取機のフォーマの脱着装置を示す要部側断面図。
【図２】図１のフォーマの脱着装置の要部破断正面図。
【図３】同フォーマの脱着装置の要部平断面図。
【図４】同装置におけるフォーマの脱着動作を示す要部拡大側断面図。
【考案を実施するための形態】
【００１３】
以下に、この考案を具体化した巻取機のフォーマの脱着装置の一実施形態を図面に従って説明する。
図１及び図２に示すように、床面１１上には巻取機１２のフレーム１３が設置されている。フレーム１３には、フォーマ軸１４が水平軸線上で回転可能に支持されている。フォーマ軸１４の先端面にはネジ孔１４ａが形成されるとともに、フォーマ軸１４の外周にはキー１５が取り付けられている。フォーマ軸１４の先端には、フォーマ１６が中心の軸孔１６ａにおいてキー１５により回り止めされた状態で着脱可能に外嵌支持されている。フォーマ１６の外周面には、ワイヤを巻き取って多角形状等の所定断面形状のビードリングを形成するための凹溝１６ｂが形成されている。そして、フォーマ軸１４のネジ孔１４ａに座金１７を介してボルト１８が螺合されることにより、フォーマ１６がフォーマ軸１４に対して固定されている。
【００１４】
次に、フォーマの脱着装置２１について説明する。図１〜図３に示すように、フォーマの脱着装置２１は、前記床面１１上に移動可能に設置されている。このフォーマの脱着装置２１には、下面に複数のキャスタ２３を備え、床面１１上を移動可能及び旋回可能に構成した台車２２が設けられている。そして、この台車２２により、水平面内を移動可能な移動体が構成されている。台車２２上には支柱２４が立設され、その支柱２４の上端には第１取付板２５が取り付けられている。第１取付板２５上には、第２取付板２６が一対のガイドロッド２７を介して取り付けられている。
【００１５】
前記両取付板２５，２６間においてガイドロッド２７には、支持板２８が上下方向に移動可能に支持されている。支持板２８の中央部には、ネジ孔２８ａが形成されている。支持板２８の上面には、一対の支持筒２９が水平方向に、かつ平行に延びる軸線上に位置するように固定されている。支持筒２９内には受渡し軸２９ａが支持板２８上から互いの反対側に向かって突出するように、つまり反対向きになるように固定されている。
【００１６】
前記両取付板２５，２６間には、昇降用ネジ軸３０が支持板２８のネジ孔２８ａに螺合した状態で回転可能に支持されている。昇降用ネジ軸３０の上端には、そのネジ軸３０を回転させるための操作ハンドル３１が取り付けられている。そして、この操作ハンドル３１により昇降用ネジ軸３０が回転されることによって、支持板２８がガイドロッド２７に沿って昇降移動されて、両受渡し軸２９ａが所定の高さ位置に配置されるようになっている。
【００１７】
前記各受渡し軸２９ａの中心孔内には、連結用ネジ軸３２が回転可能に、かつ軸線方向へスライド移動可能に挿通支持されている。各連結用ネジ軸３２の先端には、前記フォーマ軸１４の先端のネジ孔１４ａに連結可能な連結部としての連結ネジ部３２ｂが形成されている。各連結用ネジ軸３２の基端には、そのネジ軸３２を回転させるための操作部としての操作ハンドル３３が取り付けられている。そして、操作ハンドル３３の段差部３３ａが受渡し軸２９ａの一端面に当接した状態で、前記連結ネジ部３２ｂが受渡し軸２９ａの他端面から突出される。また、この操作ハンドル３３の回転操作によって、連結ネジ部３２ｂがフォーマ軸１４のネジ孔１４ａに対して連結または離脱されるようになっている。
【００１８】
そして、受渡し軸２９ａの先端部には、フォーマ１６がその軸孔１６ａにおいて受承されるようになっている。この状態で、連結用ネジ軸３２の連結ネジ部３２ｂに止め部材３４がその雌ネジにおいて螺合されることにより、フォーマ１６が受渡し軸２９ａの先端部に抜け止め状態で保持されるようになっている。
【００１９】
なお、受渡し軸２９ａの外径は、フォーマ軸１４の外径と等しいか、あるいはわずかに小さいことが好ましい。
次に、前記のように構成されたフォーマの脱着装置の作用を説明する。
【００２０】
このフォーマの脱着装置２１を用いて、巻取機１２のフォーマ軸１４に装着されたフォーマ１６を脱着交換する場合には、フォーマ軸１４のネジ孔１４ａに螺合されたボルト１８を座金１７とともに取り外して、フォーマ１６を抜き取り可能な状態にする。それとともに、フォーマの脱着装置２１においては、図１〜図３に示すように、一方の受渡し軸２９ａに新規のフォーマ１６Ａを予め装着して、その新規のフォーマ１６Ａ側の連結用ネジ軸３２の先端の連結ネジ部３２ｂに止め部材３４を螺合しておく。
【００２１】
そして、新規のフォーマ１６Ａを装着していない空の受渡し軸２９ａ側では、連結ネジ部３２ｂから止め部材３４を取り外しておく。
この状態で、台車２２を床面１１上で移動させ、必要に応じて旋回させるとともに、操作ハンドル３１の操作により昇降用ネジ軸３０を回転させて、支持板２８の高さ位置を調節する。これにより、図４に示すように、フォーマ１６が支持されていない空の受渡し軸２９ａの先端を巻取機１２のフォーマ軸１４の先端に対して、同一軸線上で近接した位置に対応配置する。その後、空の受渡し軸２９ａ側の連結用ネジ軸３２の操作ハンドル３３を回転操作して、連結ネジ部３２ｂをフォーマ軸１４のネジ孔１４ａに螺入させる。従って、脱着装置２１側の受渡し軸２９ａの先端が巻取機１２側のフォーマ軸１４の先端に連結される。
【００２２】
そして、この連結状態において、フォーマ１６をフォーマ軸１４上から受渡し軸２９ａの先端部上に受け渡し移動させれば、フォーマ１６をフォーマ軸１４から容易に取り外すことができる。その後、操作ハンドル３３の回転操作により、連結用ネジ軸３２の連結ネジ部３２ｂをフォーマ軸１４のネジ孔１４ａから螺退させる。従って、受渡し軸２９ａとフォーマ軸１４との連結が解離される。そして、連結用ネジ軸３２の連結ネジ部３２ｂに止め部材３４を螺合することにより、フォーマ１６が受渡し軸２９ａ上に抜け止め保持される。
【００２３】
次に、台車２２を移動させるとともに、旋回させて、新規のフォーマ１６Ａを支持した受渡し軸２９ａ側の連結用ネジ軸３２をフォーマ軸１４に対向させる。そして、連結用ネジ軸３２から止め部材３４を取り外す。これとともに、新規のフォーマ１６Ａを支持した受渡し軸２９ａの先端を巻取機１２のフォーマ軸１４の先端に対して、同一軸線上で近接した位置に対応配置する。
【００２４】
その後、新規のフォーマ１６Ａを支持した受渡し軸２９ａ側の操作ハンドル３３を回転操作すると、連結用ネジ軸３２の連結ネジ部３２ｂがフォーマ軸１４のネジ孔１４ａに螺入され、受渡し軸２９ａの先端がフォーマ軸１４の先端に連結される。そして、この連結状態において、新規のフォーマ１６Ａを受渡し軸２９ａ上からフォーマ軸１４上に受け渡し移動させれば、新規のフォーマ１６Ａをフォーマ軸１４に対して容易に支持することができる。
【００２５】
続いて、操作ハンドル３３を回転操作して、連結用ネジ軸３２の連結ネジ部３２ｂをフォーマ軸１４のネジ孔１４ａから螺退させれば、連結用ネジ軸３２とフォーマ軸１４との連結が解離される。その後、台車２２の移動により受渡し軸２９ａの先端をフォーマ軸１４の先端から離間した位置に配置した状態で、フォーマ軸１４のネジ孔１４ａに座金１７を介してボルトを螺合すれば、新規のフォーマ１６がフォーマ軸１４上に固定される。一方、交換されたフォーマ１６が支持された受渡し軸２９ａ側の連結ネジ部３２ｂには止め部材３４を螺合する。これによって、フォーマ軸１４に対するフォーマ１６の脱着交換作業が完了する。
【００２６】
従って、この実施形態によれば、以下のような効果を得ることができる。
（１）  このフォーマの脱着装置においては、水平面内を移動可能な移動体としての台車２２に、水平方向に延びる平行な軸線上に位置する複数の受渡し軸２９ａが設けられている。その受渡し軸２９ａ内の連結用ネジ軸３２の先端には、巻取機１２のフォーマ軸１４の先端に連結可能な連結ネジ部３２ｂが設けられている。そして、連結ネジ部３２ｂをフォーマ軸１４の先端に連結した状態で、フォーマ１６がフォーマ軸１４と受渡し軸２９ａとの間において受渡し移動できるように構成されている。
【００２７】
このため、巻取機１２のフォーマ１６を脱着交換する場合には、台車２２を移動させて、空の受渡し軸２９ａを巻取機１２のフォーマ軸１４に対応させ、この状態で連結ネジ部３２ｂにより受渡し軸２９ａの先端をフォーマ軸１４の先端に連結させることができる。そして、この連結状態においてフォーマ１６をフォーマ軸１４上から受渡し軸２９ａ上に受け渡し移動させれば、フォーマ軸１４からフォーマ１６を取り外すことができる。その後、台車２２の移動により、新規のフォーマ１６Ａが支持された受渡し軸２９ａを巻取機１２のフォーマ軸１４に対応させ、この状態で連結ネジ部３２ｂにより受渡し軸２９ａの先端をフォーマ軸１４の先端に連結させることができる。そして、この連結状態でフォーマ１６Ａを受渡し軸２９ａ上からフォーマ軸１４上に受渡し移動させれば、フォーマ軸１４に対して新規のフォーマ１６Ａを取り付けることができる。よって、フォーマ１６，１６Ａが大重量であっても、そのフォーマ１６，１６Ａの脱着交換作業を、多大な労力や時間を要することなく容易にかつ短時間で行うことができる。
【００２８】
（２）  このフォーマの脱着装置においては、前記受渡し軸２９ａ内にネジ軸３２が回転可能及び軸線方向へ移動可能に支持されるとともに、その先端の連結ネジ部３２ｂによって連結部が構成されている。このため、操作ハンドル３３を回転操作することにより、ネジ軸３２を回転させながら、その先端の連結ネジ部３２ｂをフォーマ軸１４の先端に対して容易に連結または離脱させることができる。
【００２９】
（３）  このフォーマの脱着装置においては、前記移動体が、床面１１上を移動可能で、その床面１１上を旋回可能な台車２２によって構成されている。このため、台車２２を床面１１上で任意に移動及び旋回させることにより、空の受渡し軸２９ａまたは新規のフォーマ１６Ａを支持した受渡し軸２９ａを巻取機１２のフォーマ軸１４に対して容易に対応配置させて、フォーマ１６の受け渡しを行うことができる。
【００３０】
（４）  このフォーマ脱着装置においては、受渡し軸２９ａの上下位置を調節可能な昇降用ネジ軸３０等よりなる調節部を設けたことにより、高さの異なるフォーマ軸１４に対処できる。
【００３１】
（５）  このフォーマ脱着装置においては、一対の受渡し軸２９ａを平行に、かつ反対向きに設けたことにより、両受渡し軸２９ａにフォーマ１６を支持した状態において、フォーマ脱着装置の安定性を高めることができる。
【００３２】
（変更例）
なお、この実施形態は、次のように変更して具体化することも可能である。
・  前記実施形態において、台車２２を天井部のクレーン等に移動可能及び旋回可能に吊下された吊下部材によって構成すること。従って、この構成においては、フォーマは宙吊り状態で交換されたり、移動されたりする。
【００３３】
・  前記実施形態において、受渡し軸２９ａを３本以上の複数本設けて、複数のフォーマ１６を支持できるように構成すること。
【符号の説明】
【００３４】
１１…床面、１２…巻取機、１４…フォーマ軸、１６，１６Ａ…フォーマ、１６ａ…軸孔、１６ｂ…凹溝、２１…フォーマの脱着装置、２２…移動体としての台車、２３…キャスタ、２８…支持板、２９…支持筒、２９ａ…受渡し軸、２９ｂ…ネジ孔、３２…連結用ネジ軸、３２ａ…送りネジ部、３２ｂ…連結部としての連結ネジ部、３３…操作部としての操作ハンドル。
【図１】
0003177119.tif 000003
【図２】
0003177119.tif 000004
【図３】
0003177119.tif 000005
【図４】
0003177119.tif 000006